(57)【要約】【課題】利用者に足で踏みつけられる等してもリード線に亀裂が生じたり断線したりするのを防ぐことができるとともに、振動子とリード線との間で異音が生じるのを防ぐことのできる体感振動発生装置を提供する。【解決手段】頭部１０及び突部１１から成り外部の機器からの信号を受けて振動を発生する４つの振動子１と、突部１１が挿入される略円形状の突部挿入孔２０が４箇所に貫設された第１の基材２と、頭部１０が挿入される略円形状の頭部挿入孔３０が４箇所に貫設されて第１の基材２の前面に覆設される第２の基材３と、各振動子１及び各基材２，３が収納されるカバー４とから構成され、第１の基材２の各突部挿入孔２０の周辺に略円形状の第１の挿通孔２１ａ、第２の挿通孔２１ｂ、第３の挿通孔２１ｃを略直線状に並ぶように貫設し、各振動子１のリード線１２を各挿通孔２１ａ〜２１ｃを縫うように挿通して配線した。【選択図】図１
2010011202.tif 000002
【特許請求の範囲】
【請求項１】
ベッド台の上に配設されるとともに外部の機器からの信号に応じてベッド台に横臥する人に体感振動を与える体感振動発生装置であって、略盤状の頭部、及び頭部の中央部から突出する突部、及び頭部周縁から引き出されて外部の機器からの信号が入力されるリード線を備え、外部の機器からの信号を受けて振動を発生する一乃至複数の振動子と、各振動子の突部が挿入される突部挿入孔、及び突部挿入孔の周辺に設けられてリード線が挿通される複数の挿通孔がそれぞれ貫設された第１の基材と、各振動子の頭部を保持する頭部保持部が設けられるとともに第１の基材に覆設される第２の基材と、各振動子及び第１の基材及び第２の基材を覆うカバーとを備え、各振動子のリード線は、各挿通孔を縫うように挿通して配線されることを特徴とする体感振動発生装置。
【請求項２】
前記振動子から引き出される各リード線は１本のチューブに束ねられ、各リード線は、振動子からリード線が引き出される位置と各リード線が束ねられる位置とを最短距離で結ぶ直線を迂回するように配線されることを特徴とする請求項１記載の体感振動発生装置。
【請求項３】
前記突部挿入孔の周縁には、突部挿入孔と連通するとともにリード線を案内する案内孔が貫設されたことを特徴とする請求項１又は２記載の体感振動発生装置。
【請求項４】
前記振動子は複数対であって、各対において外部の機器からの信号が互いに逆位相で入力されることを特徴とする請求項１乃至３の何れか１項に記載の体感振動発生装置。
【発明の詳細な説明】
【技術分野】
【０００１】
本発明は、寝具に横臥する人に体感振動を与えるためにベッドパッド等に収納される体感振動発生装置に関する。
【背景技術】
【０００２】
従来から、ベッド台等の寝具の上に載置されるマットレスやベッドパッド等に内蔵され、寝具に横臥する人（利用者）に体感振動を与えることで疲労回復やリラックス等の効果を奏する体感振動発生装置が知られており、例えば特許文献１に開示されている。このような体感振動発生装置は、外部の機器（例えば、アンプ）から低周波数領域の信号が供給されることで振動を発生する振動子を備え、該振動子からは外部の機器からの信号を入力するためにリード線が引き出されている。
【特許文献１】特開平７−１００１７７号公報
【発明の開示】
【発明が解決しようとする課題】
【０００３】
ところで、上述のようにマットレスやベッドパッド等に体感振動発生装置を内蔵した場合、体感振動発生装置が内蔵された部位を利用者が足で踏みつけたり手で押し付けたりする場合がある。ここで、マットレスやベッドパッドは弾性を有する材料から成るため、利用者が足で踏みつける等すると踏みつけた部位が窪んで沈み込み、体感振動発生装置に負荷がかかる。この時、振動子が主に金属材料等の硬質な材料から構成されるため、負荷によって振動子が沈み込む。
【０００４】
しかしながら、振動子は沈み込むものの振動子から引き出されるリード線はさほど沈み込まず、振動子のリード線が引き出される部位においてリード線が強く屈曲したり張力が加えられたりすることで、リード線の絶縁被覆に亀裂が生じたり断線したりする虞があった。また、リード線を配線する際にリード線を引き回す処理に不具合があると、振動子とリード線とが接触し、接触時の摩擦によって異音が生じる虞があった。
【０００５】
本発明は、上記の点に鑑みて為されたもので、利用者に足で踏みつけられる等してもリード線に亀裂が生じたり断線したりするのを防ぐことができるとともに、振動子とリード線との間で異音が生じるのを防ぐことのできる体感振動発生装置を提供することを目的とする。
【課題を解決するための手段】
【０００６】
請求項１の発明は、上記目的を達成するために、ベッド台の上に配設されるとともに外部の機器からの信号に応じてベッド台に横臥する人に体感振動を与える体感振動発生装置であって、略盤状の頭部、及び頭部の中央部から突出する突部、及び頭部周縁から引き出されて外部の機器からの信号が入力されるリード線を備え、外部の機器からの信号を受けて振動を発生する一乃至複数の振動子と、各振動子の突部が挿入される突部挿入孔、及び突部挿入孔の周辺に設けられてリード線が挿通される複数の挿通孔がそれぞれ貫設された第１の基材と、各振動子の頭部を保持する頭部保持部が設けられるとともに第１の基材に覆設される第２の基材と、各振動子及び第１の基材及び第２の基材を覆うカバーとを備え、各振動子のリード線は、各挿通孔を縫うように挿通して配線されることを特徴とする。
【０００７】
請求項２の発明は、請求項１の発明において、振動子から引き出される各リード線は１本のチューブに束ねられ、各リード線は、振動子からリード線が引き出される位置と各リード線が束ねられる位置とを最短距離で結ぶ直線を迂回するように配線されることを特徴とする。
【０００８】
請求項３の発明は、請求項１又は２の発明において、突部挿入孔の周縁には、突部挿入孔と連通するとともにリード線を案内する案内孔が貫設されたことを特徴とする。
【０００９】
請求項４の発明は、請求項１乃至３の何れか１項の発明において、振動子は複数対であって、各対において外部の機器からの信号が互いに逆位相で入力されることを特徴とする。
【発明の効果】
【００１０】
請求項１の発明によれば、利用者の足で踏みつけられる等して負荷がかかった場合に、リード線にかかる応力を低減することができ、したがってリード線に亀裂が生じたり断線したりするのを防ぐことができる。また、リード線を位置決めしつつ振動子とリード線とが接触しないように配線することができるので、振動子とリード線との間で異音が生じるのを防ぐことができる。
【００１１】
請求項２の発明によれば、利用者の足で踏みつけられる等して負荷がかかった場合にリード線にかかる応力をより低減することができる。
【００１２】
請求項３の発明によれば、振動子の突部を突部挿入孔に挿入する際に、振動子から引き出されるリード線を案内孔に挿通させることで振動子の位置決めをすることができ、したがって組立時の作業性を向上させることができる。
【００１３】
請求項４の発明によれば、各対の振動子の振動に伴って発生する第１の基材及び第２の基材の振動を打ち消し合うことができるので、外部に漏れる音を小さくすることができ、周囲に迷惑をかけないように使用することができる。
【発明を実施するための最良の形態】
【００１４】
以下、本発明に係る体感振動発生装置の実施形態について図面を用いて説明する。但し、以下の説明では、図１（ａ）における紙面手前側を前方向、紙面奥側を後方向と定めるものとする。
【００１５】
本実施形態は、図５（ａ），（ｂ）に示すように、略円盤状の頭部１０及び頭部１０の略中央部から後方へ突出する略円柱状の突部１１から成り外部の機器からの信号を受けて振動を発生する複数（図示では４つ）の振動子１と、突部１１が挿入される略円形状の突部挿入孔２０が４箇所に貫設された第１の基材２と、頭部１０が挿入される略円形状の頭部挿入孔３０が４箇所に貫設されて第１の基材２の前面に覆設される第２の基材３と、各振動子１及び各基材２，３が収納されるカバー４とから構成される。そして、図１（ａ），（ｂ）に示すように、第１の基材２の各突部挿入孔２０の周辺に略円形状の第１の挿通孔２１ａ、第２の挿通孔２１ｂ、第３の挿通孔２１ｃを略直線状に並ぶように貫設している。
【００１６】
振動子１は、例えばＣＤプレーヤー等の音声信号を再生するコンテンツ再生装置（図示せず）とアンプ（図示せず）を介して接続され、音声信号のうち人間の可聴領域における低周波数帯の信号を受けて振動を発生する。尚、振動子１の頭部１０には、機械的振動を発生する振動板（図示せず）が収納され、突部１１には、音声信号を受けて振動板を駆動する駆動回路（図示せず）が収納されている。振動子１の頭部１０後面からはリード線１２が引き出されており（図７（ａ）参照）、各振動子１のリード線１２は、収縮性を有する１本のチューブ５に束ねられる。このチューブ５に束ねられた各リード線１２の一端部にはコネクタ１２ａが取り付けられ、該コネクタ１２ａに外部の機器と接続するためのケーブル６の一端部に設けられたコネクタ６ａが接続される（図１（ａ）参照）。而して、ケーブル６の他端部に設けられたコネクタ６ｂをアンプに接続することで、コンテンツ再生装置からの音声信号が各振動子１に入力されるようになっている。
【００１７】
第１の基材２及び第２の基材３は、図２及び図３に示すように、何れも軟質の高密度発泡ポリウレタン材から平板状に形成され、上述のようにそれぞれ突部挿入孔２０及び頭部挿入孔３０が貫設されている。これら突部挿入孔２０及び頭部挿入孔３０にそれぞれ各振動子１の突部１１及び頭部１０を挿入することで、各振動子１が第１の基材２及び第２の基材３に保持されるようになっている。第１の基材２では、上述のように各突部挿入孔２０の周辺に挿通孔２１ａ〜２１ｃが貫設されている（図２（ａ），（ｂ）参照）。また、突部挿入孔２０の周縁には、突部挿入孔２０と連通する略半円形状の案内孔２０ａが貫設されており、該案内孔２０ａによって振動子１から引き出されるリード線１２を案内するようになっている。第１の基材２の略中央部には、所定の間隔を空けて一対の略矩形状の長孔２２が貫設されている。各長孔２２には、帯状の固定ベルト２３が挿通され、該固定ベルト２３によってチューブ５を第１の基材２に固定するようになっている。
【００１８】
カバー４は、例えばポリウレタン等の合成樹脂材料を布材料にコーティングした合成皮革から袋状に形成され、その内部に各振動子１及び各基材２，３を収納する。また、カバー４の４つの側面のうち１つの側面には、ケーブル６を外部に引き出すための略円形状の通孔４０が貫設されている（図４（ａ），（ｂ）参照）。尚、カバーの４つの側面のうち通孔４０が設けられた側面を除いた側面には、全周に亘って櫛歯状のエレメント（図示せず）が設けられて線ファスナーを構成している。而して、線ファスナーに設けられたスライダ（図示せず）を摺動することで、カバー４の内部を外部に対して開放する又は閉塞することができる。このため、振動子１が故障する等して交換する際に、振動子１及び各基材２，３の交換作業を容易に行うことができる。
【００１９】
本実施形態である体感振動発生装置Ａは、図６（ａ），（ｂ）に示すように、ベッド台Ｄ及びマットレスＣ上に載置されるベッドパッドＢに設けられた収納部Ｂ１に収納される。而して、ケーブル６のコネクタ６ｂをベッド台Ｄの周辺に設けられたコンテンツ再生装置及びアンプに接続することで、ベッドパッドＢに横臥する利用者Ｅに音楽を聴かせるとともに、人間の可聴領域における低周波数帯の振動を体感させることができる。
【００２０】
以下、本実施形態のリード線１２の配線方法について図面を用いて説明する。先ず、振動子１の突部１１を突部挿入孔２０に挿入するとともに、リード線１２を案内孔２０ａに通して第１の基材２の後側に引き出す。次に、第１の挿通孔２１ａの後側から前側にリード線１２を挿通させ、更に第２の挿通孔２１ｂの前側から後側、第３の挿通孔２１ｃの後側から前側と順次挿通させる（図１（ｂ）参照）。各振動子１のリード線１２をそれぞれ上記のように配線し、各孔を挿通したリード線１２を１本のチューブ５で束ねる。最後に、チューブ５の周部を固定ベルト２３で覆うことでチューブ５を第１の基材２に固定し、各リード線１２の一端部に設けられたコネクタ１２ａにケーブル６のコネクタ６ａを取り付けることで配線が終了する。
【００２１】
ここで、第１の基材２に各挿通孔２１ａ〜２１ｃを貫設せずにリード線１２を配線したとすると、図７（ｂ）に示すように、振動子１のリード線１２が引き出される部位においてリード線１２が屈曲した状態で配線されるため、利用者Ｅの足で踏みつけられる等して負荷がかかった場合に、リード線１２が強く屈曲したり張力が加えられたりすることで、リード線１２の絶縁被覆に亀裂が生じたり断線したりする虞がある。これに対して、本実施形態のように振動子１のリード線１２を各挿通孔２１ａ〜２１ｃを縫うように挿通して配線することで、利用者Ｅの足で踏みつけられる等して負荷がかかった場合に、リード線１２が強く屈曲されるのを防ぐとともにリード線１２にかかる応力を低減することができる。したがって、屈曲やかかる応力によってリード線１２に亀裂が生じたり断線したりするのを防ぐことができる。また、リード線１２を位置決めしつつ振動子１とリード線１２とが接触しないように配線することができるので、接触子１とリード線１２との間で異音が生じるのを防ぐことができる。
【００２２】
また、突部挿入孔２０の周縁に、突部挿入孔２０と連通するとともにリード線１２を案内する案内孔２０ａを貫設したので、振動子１の突部１１を突部挿入孔２０に挿入する際に、振動子１から引き出されるリード線１２を案内孔２０ａに挿通させることで振動子１の位置決めをすることができ、したがって組立時の作業性を向上させることができる。
【００２３】
尚、本実施形態では、案内孔２０ａ、第１の挿通孔２１ａ、第２の挿通孔２１ｂに挿通されるリード線１２が略Ｕ字状又は略Ｖ字状を描くように各孔を貫設している。このように構成することで、負荷がかかった場合にリード線１２にかかる応力をより低減することができる。
【００２４】
更に、本実施形態では、図１（ａ）に示すように、各振動子１から引き出されるリード線１２を束ねる位置アと、各振動子１からリード線１２が引き出される位置イとを最短距離で結ぶ直線を迂回するようにリード線１２を配線しているので、負荷がかかった場合にリード線１２にかかる応力をより低減することができる。
【００２５】
ところで、本実施形態をＣＤプレーヤー等のコンテンツ再生装置にアンプを介して接続してステレオ音声を再生する場合には、図１（ａ）における左側の一対の振動子１に右チャネル用の音声信号を、図１（ａ）における右側の一対の振動子１に左チャネル用の音声信号を入力することで、立体感のある音を体感することができる。ここで、各振動子１の振動に伴って第１の基材２及び第２の基材３も振動するが、各振動子１に同位相の音声信号を入力した場合、各基材２，３で発生する振動の振幅が大きくなり、振動の大きさによっては外部に音が漏れ、周囲に迷惑をかける虞があった。
【００２６】
そこで、左側の一対の振動子１それぞれに互いに逆位相の音声信号を入力するとともに、右側の一対の振動子１それぞれに互いに逆位相の音声信号を入力することで、各基材２，３において発生する振動を打ち消し合うことができるので、外部に漏れる音を小さくすることができ、周囲に迷惑をかけないように使用することができる。また、同チャンネルの信号が入力される一対の振動子１を対角線上に配置してもよい。このように配置することで、各振動子１の間の距離を長くすることができるので、振動をより低減することができる。尚、逆位相の音声信号を入力するには、振動子１の各電極に接続されたリード線１２を逆に接続すればよい。
【００２７】
尚、本実施形態では、振動子１の頭部１０を保持する頭部保持部として第２の基材３に頭部挿入孔３０を貫設しているが、この構成に限定されるものではなく、頭部挿入孔３０を貫設する代わりに頭部１０の前面及び側面を覆うような凹所を第２の基材３に設けても構わない。
【図面の簡単な説明】
【００２８】
【図１】本発明に係る体感振動発生装置の実施形態を示す図で、（ａ）は第２の基材及びカバーを省略した前面図で、（ｂ）は第２の基材及びカバーを省略した要部断面図である。
【図２】同上の第１の基材を示す図で、（ａ）は前面図で、（ｂ）は斜視図である。
【図３】同上の第２の基材を示す図で、（ａ）は前面図で、（ｂ）は斜視図である。
【図４】同上のカバーを示す図で、（ａ）は前面図で、（ｂ）は斜視図である。
【図５】同上の概略を示す図で、（ａ）は前面図で、（ｂ）は断面図である。
【図６】同上の使用例を示す図で、（ａ）は要部斜視図で、（ｂ）は概略図である。
【図７】（ａ）は同上の振動子の側面図で、（ｂ）は挿通孔を設けない場合の第２の基材及びカバーを省略した要部断面図である。
【符号の説明】
【００２９】
１  振動子
１０  頭部
１１  突部
１２  リード線
２  第１の基材
２０  突部挿入孔
２０ａ  案内孔
２１ａ〜２１ｃ  挿通孔
３  第２の基材
３０  頭部挿入孔（頭部保持部）
４  カバー
【図１】
2010011202.tif 000003
【図２】
2010011202.tif 000004
【図３】
2010011202.tif 000005
【図４】
2010011202.tif 000006
【図５】
2010011202.tif 000007
【図６】
2010011202.tif 000008
【図７】
2010011202.tif 000009